(57)【要約】      （修正有）【課題】複数の会議用処理装置を、無線等の混信や情報漏洩、空間光通信の空間遮断による通信停止、ケーブルによる多数接続や長い引き回しによる混乱を、回避して通信可能にした会議システムを、工事費や装置のコストを低減しつつ、信頼性の高く実現する。【解決手段】少なくともシート状導光手段２０１と、二枚の反射シート手段２０２ａ、２０２ｂと、上層側の反射シート手段に設けられた複数の光開口手段６と、光開口手段の真下の位置に設けられた光路変換手段２０５より構成される会議用光伝導シート。【選択図】図１ｂ
2004274440.tif 000002
【特許請求の範囲】
【請求項１】
会議テーブルの天板上に水平に重ねて設置、あるいは一体に貼りつけて使用する会議用光伝導シートであって、該会議用光伝導シートは、透明または特定波長透過特性を具備した材料によるシート状導光手段と、該シート状導光手段の両面を挟んで、二枚の、少なくとも内側の該シート状導光手段向きに、反射特性を備えた反射シート手段と、を上下に積層した構造を備え、前記上層側の反射シート手段には、複数の光開口手段を備え、該、光開口手段の真下の位置、且、前記シート状導光手段の層の位置に、上下方向の光束と水平方向の光束を方向変換する、底辺を前記下層の反射シート上に且つ該反射シート面と平行に保ち、頂点を前記上層の反射シート側に位置するように配し、少なくとも前記底辺以外が、光学的反射特性を備えた、円錐形反射ミラーよりなる光路変換手段とを具備した事を特徴とする電子会議卓用通信シート。
【請求項２】
前記請求項１記載の会議用光伝導シートであって、前記会議用光伝導シートは、前記上層側の反射シート手段のさらに上層のいわゆる表面に、表面保護カバーを備えた事を特徴とする電子会議卓用通信シート。
【請求項３】
前記請求項１または２記載の会議用光伝導シートであって、前記会議用光伝導シートは、少なくとも該二つの反射シート手段の間に具備されたシート状導光手段の長手方向の周囲を反射特性を備えた反射テープを前記シート状導光手段内部の光を該シート状導光手段内に再帰反射するように覆って備えた事を特徴とする電子会議卓用通信シート。
【請求項４】
前記請求項１ないし３いずれか記載の会議用光伝導シートの光路変換手段は、前記円錐形反射ミラーの変わりに半円球反射ミラー、あるいは任意の形状の反射ミラー又は前記一つの光学的開口の範囲に相当する前記シート状導光手段内に微小円錐形又は半円球等の突起ミラーが複数配列した構造であることを特徴とする電子会議卓用通信シート。
【請求項５】
前記請求項１記載の会議用光伝導シートは、少なくとも前記二つの反射シート手段の間に具備されたシート状導光手段が、前記両面の反射シート間に空隙を持たせ、且つ該空隙の間に複数の微少スペーサを備えた構成であることを特徴とする電子会議卓用通信シート。
【請求項６】
前記請求項１ないし５いずれか記載の会議用光伝導シート又は会議テーブル天板上に備えられた会議用光伝導シート上に、複数の光電変換ユニット手段、複数の通信ケーブル手段、複数の会議用情報処理手段を備え、それぞれ、光電変換ユニット手段と通信ケーブル手段と会議用情報処理手段を一対として、前記それぞれの対の、前記光電変換ユニット手段を、会議用光伝導シートのそれぞれ異なる光開口部に光学的結合を成し、さらに、前記光電変換ユニットは、該通信ケーブル手段により、該会議用情報処理装置に接続され、該、光電変換ユニット手段と通信ケーブル手段と会議用情報処理手段の対は、前記会議用光伝導シートの内部と前記光学的開口を介して光信号としての光学的および電気的結合を成し、前記会議用情報処理手段の制御に基き、前記複数の会議用情報処理手段間を通信可能とした事を特徴とする会議装置。
【請求項７】
前記請求項１ないし６いずれか記載の前記会議用光伝導シート上に、複数の光電変換ユニット内蔵の会議用情報処理端末手段と、複数の光ファイバー手段と、を備え、前記会議用光伝導シート上の前記それぞれ異なる光開口部に対して、前記光ファイバー手段により、光電変換ユニット内蔵の会議用情報処理手段の光電変換部を、光学的に結合して、前記会議用情報処理手段の制御に基き、前記複数の会議用情報処理手段間を通信可能とした事を特徴とする会議装置。
【請求項８】
請求項１ないし７いずれか記載の会議装置であって、前記会議用光伝導シート上に備えられた会議用光伝導シート上面に対して設けられた、前記円錐状のミラーよりなる光路変換手段又は光学的開口部の代りに、或いは混在して、前記光学シートの縁周辺部に前記反射テープを一部排除して、光電変換部及び光ファイバー用の光学的開口及び結合手段を備えたことを特徴とする電子会議卓用通信シート。
【請求項９】
前記請求項１ないし８いずれか記載の会議用光伝導シート又は請求項３記載の会議テーブル上に備えられた前記会議用光伝導シートの導光シート又は光開口部は波長選択特性を備えた事を特徴とする電子会議卓用通信シート。
【請求項１０】
前記請求項１ないし９いずれか記載の会議用光伝導シート又は請求項３記載の会議テーブル上に備えられた表面カバーの前記光開口部以外は、装飾印刷を施したことを特徴とする電子会議卓用通信シート。
【請求項１１】
前記請求項１ないし１０いずれか記載の会議用光伝導シート又は前記会議用光伝導シートを会議用テーブル天板上に備える会議テーブルであって、前記会議用光伝導シートの、少なくとも該二つの反射シート手段の間に具備されたシート状導光手段の長手方向の周囲に貼られた反射テープのさらに外周に保護用及び装飾用手段を備えたことを特徴とする電子会議卓用通信シート。
【請求項１２】
前記請求項１ないし１１いずれか記載の会議用光伝導シートにおいて、該会議用光伝導シートを構成する、シート状導光手段内に設けられる光路変換手段は円錐形反射器の替わりに、半球形反射器であることを特徴とする電子会議卓用通信シート。
【請求項１３】
前記請求項１ないし１１いずれか記載の会議用光伝導シートにおいて、該会議用光伝導シートを構成する、シート状導光手段内に設けられる光路変換手段は円錐形反射器の替わりに、微小な円錐形反射器又は微小な突起形状反射器が複数配列して構成されたことを特徴とする電子会議卓用通信シート。
【請求項１４】
前記請求項１ないし１３いずれか記載の会議用光伝導シート上に設けられた前記複数の光学的開口部に角度固定の又は角度可変で開閉可能な反射ミラー手段を備えたことを特徴とする電子会議卓用通信シート。
【請求項１５】
前記請求項１ないし１４いずれか記載の会議用光伝導シートをシート状導光手段の縁部の一辺若しくは縁部の一部分を開口状態として、隣り合う会議用光伝導シートと密着して光学的結合させたことを特徴とする電子会議卓用通信シート。
【請求項１６】
前記請求項１ないし１５いずれか記載の会議用光伝導シートをシート状導光手段の縁部の一辺若しくは縁部の一部分を開口状態として、隣り合う会議用光伝導シートと光ファイバーにより光学的結合させたことを特徴とする電子会議卓用通信シート。
【請求項１７】
前記請求項１ないし１６いずれか記載の会議用光伝導シートをシート状導光手段の縁部の一辺若しくは縁部の一部分を開口状態として、隣り合う会議用光伝導シートとを光電変換手段を備えたインターフェースにより光学的及び電気的結合をさせたことを特徴とする電子会議卓用通信シート。
【請求項１８】
前記請求項１ないし１７いずれか記載の情報処理装置は、パーソナルコンピュータ（ＰＣ）、又はノートブック型パーソナルコンピュータ、又は、パーソナル情報機器（Ｐｅｒｓｏｎａｌ  Ｄｉｇｉｔａｌ  Ａｓｓｉｓｔａｎｃｅ：以下ＰＤＡ）、又は専用会議用処理装置であることを特徴とする電子会議卓用通信シート。
【請求項１９】
前記請求項１ないし１８いずれか記載の端末は、赤外線対応キーボード、赤外光を送受光して情報処理する赤外線対応情報処理機器、赤外光を受光して画像表示する赤外線対応画像表示機器及びそれらの複合機器であることを特徴とする電子会議卓用通信シート。
【請求項２０】
前記請求項１ないし１９いずれか記載の情報処理装置端末手段は赤外線方式リモコンであることを特徴とする電子会議卓用通信シート。
【請求項２１】
前記請求項１ないし２０いずれか記載の会議用光伝導シート手段であって、該会議用光伝導シート手段の前記二つの反射シート手段の間に、透明または特定波長透過特性を具備した材料による導光シート手段を積層した構造が複数積層され、前記、二つの反射シートと導光シートにより積層構成される各々の層に、任意複数のそれぞれの積層対の上面の反射シートに対して光学的開口と、該光学的開口の位置に一致した導光シート層に円錐形反射手段を備え、該円錐形反射手段の上面のさらに上層に設けられる全ての一対を成す二つの反射シートと導光シートの積層部及び表面保護カバーに対して光学的開口を備えた事を特徴とする電子会議卓用通信シート。
【請求項２２】
請求項２１記載の
二つの反射シート手段の間に、透明または特定波長透過特性を具備した材料による導光シート手段を積層した構造が複数積層された
請求項２１の会議用光伝導シート又は請求項２１記載の会議テーブル上に備えられた会議用光伝導シートであって、該会議用光伝導シートの下層反射面上の光導光シートに対して設けられた、前記円錐状のミラー及び同位置の上層側反射シートの光学的開口部の代りに、或いは混在して、前記光学シートの周辺部縁に前記反射テープを一部排除してなる、光電変換部及び光ファイバー用の光学的開口及び結合手段を備えたことを特徴とする電子会議卓用通信シート。
【発明の詳細な説明】
【０００１】
【発明の属する技術分野】
本発明は、大型のディスプレイや複数のノートブック型ＰＣ等による電子会議に関して、会議テーブル上に設置して各装置間の光信号伝送を行う光伝導シートと、該光伝導シートを備えた光伝導シート型会議用テーブル装置に関するものである。
【０００２】
【従来の技術】
図７に従来の電子会議の例を示す。図７において、１は会議テーブルの天板、３ａ〜３ｄはノートＰＣ、３ｅは会議用共通ＰＣ、４ａ〜４ｄは接続ケーブル、８はＬＡＮ回線網への接続ケーブル、１１はネットワーク通信ハブ、９は共通ディスプレイ、１０はビデオケーブルである。
【０００３】
次に図７において、会議テーブル１に複数の例えば液晶画面等のディスプレイを備えたノートＰＣ３ａ〜３ｄ等の情報処理装置を会議出席者が持ち寄り、あるいは予め用意され、それぞれ通信用接続ケーブル４ａ〜４ｄにて、ネットワーク通信ハブ１１に接続される。ネットワーク通信ハブ１１には共通の会議用ＰＣ３ｅが接続されて、共通の会議用ＰＣ３ｅのビデオ出力は、共通の大型ディスプレイ９にビデオケーブル１０により接続される。
【０００４】
ネットワーク通信ハブ１１は必要によりケーブル８にて、ＬＡＮ回線網（ネットワーク）に接続され、図示しないメインサーバーや、Ｗｏｒｌｄ  Ｗｉｄｅ  Ｗｅｂ回線等に接続され、電子会議の利便性を高めている。
【０００５】
会議出席者はそれぞれ、会議用ノートＰＣ３ａ〜３ｄの画面に向かって、例えばノートＰＣ３ａから文章や図形、写真データ、動画データ等を予めあるいはその場で入力し場合によっては編集し、該データ（以下コンテンツと呼ぶ）を、回線ケーブル４ａを介してネットワーク通信ハブ１１を経て、共通ＰＣ３ｅに転送し、前記データ（コンテンツ）が前記共通ＰＣ３ｅにおいて開かれ、画像信号（例えばＶＧＡ信号）としてビデオケーブル１０を通ってディスプレイ９に供給され、ディスプレイ９にて出席者にプレゼンテーションされる。
【０００６】
同様に他のノートＰＣ３ｂ〜３ｄからのデータも、共通ＰＣ３ｅにより、共通ディスプレイ９に画像表示して、プレゼンテーションされる。
【０００７】
それぞれのＰＣ３ａ〜３ｅ間のデータは、１１のネットワーク通信ハブを介して選択的に転送可能であり、何れかのＰＣ３ａ〜３ｅにて作成された議事録等も、各々のＰＣ３ａ〜３ｅに配信可能である。
【０００８】
【発明が解決しようとする課題】
しかし、前記従来例のように例えば会議への出席者が１０人とした場合、各人用ノートＰＣ等の情報処理装置が１０台で、共通ＰＣも含めて１１本以上の信号ケーブルが会議テーブル上に引き回されると、会議テーブル上が雑然となるばかりか、長いケーブルをそれぞれの処理装置にいちいち接続する作業は容易ではない。
【０００９】
そこで、あらかじめテーブルにそのような配線を施すことが考えられるが、そのテーブルの大きさや形状としてメーカーは多品種生産対応とするか生産品種を制限するなど、ユーザーの選択範囲を著しく狭めてしまう。
【００１０】
また、すでに会議室に導入し終えている会議テーブルに、ケーブルおよびコネクタ等を、その美観を損なうこと無く据え付けることは、個別工事仕様となり個別部品が増えたり、工事作業が増加し作業時間が著しく長くなるなど、全体の工事負担が重くなる。
【００１１】
各ＰＣの通信回線を無線として、たとえば無線ＬＡＮ（ＩＥＥＥ８０２．１１ｂ）やＢｌｕｅｔｏｏｔｈ等により接続する方法も考えられるが、無線による相互のデータ交換の場合、セキュリティ的にも脆弱になり易いと共に、周辺オフイスでの他の会議や仕事で使用する無線機器等からの混信、妨害、等予想され通信速度の著しい劣化が起きてしまう場合が多い。
【００１２】
また、ＩＲＤＡなどで規定される空間光通信方式に関しては、会議テーブル上の例えば各人用ノートＰＣ等の情報処理装置に直接あるいは間接的に取り付けられる光無線通信用受発光部相互関を通過するたとえば赤外光に対して、分厚い書類の山や、花瓶、他の出席者の為の情報処理装置等の器材等が間にあると、光信号の伝達が阻害されてしまう欠点がある。
【００１３】
本発明は、以上の点に着目して成されたもので、複数の会議用処理装置を、無線等の混信や情報漏洩、空間光通信の空間遮断による通信停止、ケーブルによる多数接続や長い引き回しによる混乱を、回避して通信可能にした会議システムを、工事費や装置のコストを低減しつつ、信頼性の高く実現する電子会議卓用通信シートを提供することを目的とする。
【００１４】
【課題を解決するための手段】
掛かる問題に鑑み本発明では、会議テーブルの天板の上に、導光シートと、該導光シートの上下をラミネート状に２枚の反射膜シートにて挟み込んだ会議用光伝導シートを、さらに最上層に保護シートを具備し、導光シートには任意に設けられる複数の円錐型反射手段と、該円錐型反射手段の位置に対応した、上層側の前記反射シートおよび保護カバーに前記複数の光学的開口を設け、該保護カバーの前記複数の光学的開口上に、特定数の光電変換手段と通信ケーブル、会議用処理装置および共通処理装置及び共通ディスプレイにより構成される。
【００１５】
すなわち、本発明の技術内容は以下の構成を備えることにより前記課題を解決できた。
【００１６】
（１）会議テーブルの天板上に水平に重ねて設置、あるいは一体に貼りつけて使用する会議用光伝導シートであって、該会議用光伝導シートは、透明または特定波長透過特性を具備した材料によるシート状導光手段と、該シート状導光手段の両面を挟んで、二枚の、少なくとも内側の該シート状導光手段向きに、反射特性を備えた反射シート手段と、を上下に積層した構造を備え、前記上層側の反射シート手段には、複数の光開口手段を備え、該、光開口手段の真下の位置、且、前記シート状導光手段の層の位置に、上下方向の光束と水平方向の光束を方向変換する、底辺を前記下層の反射シート上に且つ該反射シート面と平行に保ち、頂点を前記上層の反射シート側に位置するように配し、少なくとも前記底辺以外が、光学的反射特性を備えた、円錐形反射ミラーよりなる光路変換手段とを具備した事を特徴とする電子会議卓用通信シート。
【００１７】
（２）前記（１）記載の会議用光伝導シートであって、前記会議用光伝導シートは、前記上層側の反射シート手段のさらに上層のいわゆる表面に、表面保護カバーを備えた事を特徴とする電子会議卓用通信シート。
【００１８】
（３）前記（１）または（２）記載の会議用光伝導シートであって、前記会議用光伝導シートは、少なくとも該二つの反射シート手段の間に具備されたシート状導光手段の長手方向の周囲を反射特性を備えた反射テープを前記シート状導光手段内部の光を該シート状導光手段内に再帰反射するように覆って備えた事を特徴とする電子会議卓用通信シート。
【００１９】
（４）前記（１）ないし（３）いずれか記載の会議用光伝導シートの光路変換手段は、前記円錐形反射ミラーの変わりに半円球反射ミラー、あるいは任意の形状の反射ミラー又は前記一つの光学的開口の範囲に相当する前記シート状導光手段内に微小円錐形又は半円球等の突起ミラーが複数配列した構造であることを特徴とする電子会議卓用通信シート。
【００２０】
（５）前記（１）記載の会議用光伝導シートは、少なくとも前記二つの反射シート手段の間に具備されたシート状導光手段が、前記両面の反射シート間に空隙を持たせ、且つ該空隙の間に複数の微少スペーサを備えた構成であることを特徴とする電子会議卓用通信シート。
【００２１】
（６）前記（１）ないし（５）いずれか記載の会議用光伝導シート又は会議テーブル天板上に備えられた会議用光伝導シート上に、複数の光電変換ユニット手段、複数の通信ケーブル手段、複数の会議用情報処理手段を備え、それぞれ、光電変換ユニット手段と通信ケーブル手段と会議用情報処理手段を一対として、前記それぞれの対の、前記光電変換ユニット手段を、会議用光伝導シートのそれぞれ異なる光開口部に光学的結合を成し、さらに、前記光電変換ユニットは、該通信ケーブル手段により、該会議用情報処理装置に接続され、該、光電変換ユニット手段と通信ケーブル手段と会議用情報処理手段の対は、前記会議用光伝導シートの内部と前記光学的開口を介して光信号としての光学的および電気的結合を成し、前記会議用情報処理手段の制御に基き、前記複数の会議用情報処理手段間を通信可能とした事を特徴とする会議装置。
【００２２】
（７）前記（１）ないし（６）いずれか記載の前記会議用光伝導シート上に、複数の光電変換ユニット内蔵の会議用情報処理端末手段と、複数の光ファイバー手段と、を備え、前記会議用光伝導シート上の前記それぞれ異なる光開口部に対して、前記光ファイバー手段により、光電変換ユニット内蔵の会議用情報処理手段の光電変換部を、光学的に結合して、前記会議用情報処理手段の制御に基き、前記複数の会議用情報処理手段間を通信可能とした事を特徴とする会議装置。
【００２３】
（８）前記（１）ないし（７）いずれか記載の会議装置であって、前記会議用光伝導シート上に備えられた会議用光伝導シート上面に対して設けられた、前記円錐状のミラーよりなる光路変換手段又は光学的開口部の代りに、或いは混在して、前記光学シートの縁周辺部に前記反射テープを一部排除して、光電変換部及び光ファイバー用の光学的開口及び結合手段を備えたことを特徴とする電子会議卓用通信シート。
【００２４】
（９）前記（１）ないし（８）いずれか記載の会議用光伝導シート又は請求項３記載の会議テーブル上に備えられた前記会議用光伝導シートの導光シート又は光開口部は波長選択特性を備えた事を特徴とする電子会議卓用通信シート。
【００２５】
（１０）前記（１）ないし（９）いずれか記載の会議用光伝導シート又は請求項３記載の会議テーブル上に備えられた表面カバーの前記光開口部以外は、装飾印刷を施したことを特徴とする電子会議卓用通信シート。
【００２６】
（１１）前記（１）ないし（１０）いずれか記載の会議用光伝導シート又は前記会議用光伝導シートを会議用テーブル天板上に備える会議テーブルであって、前記会議用光伝導シートの、少なくとも該二つの反射シート手段の間に具備されたシート状導光手段の長手方向の周囲に貼られた反射テープのさらに外周に保護用及び装飾用手段を備えたことを特徴とする電子会議卓用通信シート。
【００２７】
（１２）前記（１）ないし（１１）いずれか記載の会議用光伝導シートにおいて、該会議用光伝導シートを構成する、シート状導光手段内に設けられる光路変換手段は円錐形反射器の替わりに、半球形反射器であることを特徴とする電子会議卓用通信シート。
【００２８】
（１３）前記（１）ないし（１１）いずれか記載の会議用光伝導シートにおいて、該会議用光伝導シートを構成する、シート状導光手段内に設けられる光路変換手段は円錐形反射器の替わりに、微小な円錐形反射器又は微小な突起形状反射器が複数配列して構成されたことを特徴とする電子会議卓用通信シート。
【００２９】
（１４）前記（１）ないし（１３）いずれか記載の会議用光伝導シート上に設けられた前記複数の光学的開口部に角度固定の又は角度可変で開閉可能な反射ミラー手段を備えたことを特徴とする電子会議卓用通信シート。
【００３０】
（１５）前記（１）ないし（１４）いずれか記載の会議用光伝導シートをシート状導光手段の縁部の一辺若しくは縁部の一部分を開口状態として、隣り合う会議用光伝導シートと密着して光学的結合させたことを特徴とする電子会議卓用通信シート。
【００３１】
（１６）前記（１）ないし（１５）いずれか記載の会議用光伝導シートをシート状導光手段の縁部の一辺若しくは縁部の一部分を開口状態として、隣り合う会議用光伝導シートと光ファイバーにより光学的結合させたことを特徴とする電子会議卓用通信シート。
【００３２】
（１７）前記（１）ないし（１６）いずれか記載の会議用光伝導シートをシート状導光手段の縁部の一辺若しくは縁部の一部分を開口状態として、隣り合う会議用光伝導シートとを光電変換手段を備えたインターフェースにより光学的及び電気的結合をさせたことを特徴とする電子会議卓用通信シート。
【００３３】
（１８）前記（１）ないし（１７）いずれか記載の情報処理装置は、パーソナルコンピュータ（ＰＣ）、又はノートブック型パーソナルコンピュータ、又は、パーソナル情報機器（Ｐｅｒｓｏｎａｌ  Ｄｉｇｉｔａｌ  Ａｓｓｉｓｔａｎｃｅ：以下ＰＤＡ）、又は専用会議用処理装置であることを特徴とする電子会議卓用通信シート。
【００３４】
（１９）前記（１）ないし（１８）いずれか記載の端末は、赤外線対応キーボード、赤外光を送受光して情報処理する赤外線対応情報処理機器、赤外光を受光して画像表示する赤外線対応画像表示機器及びそれらの複合機器であることを特徴とする電子会議卓用通信シート。
【００３５】
（２０）前記（１）ないし（１９）いずれか記載の情報処理装置端末手段は赤外線方式リモコンであることを特徴とする電子会議卓用通信シート。
【００３６】
（２１）前記（１）ないし（２０）いずれか記載の会議用光伝導シート手段であって、該会議用光伝導シート手段の前記二つの反射シート手段の間に、透明または特定波長透過特性を具備した材料による導光シート手段を積層した構造が複数積層され、前記、二つの反射シートと導光シートにより積層構成される各々の層に、任意複数のそれぞれの積層対の上面の反射シートに対して光学的開口と、該光学的開口の位置に一致した導光シート層に円錐形反射手段を備え、該円錐形反射手段の上面のさらに上層に設けられる全ての一対を成す二つの反射シートと導光シートの積層部及び表面保護カバーに対して光学的開口を備えた事を特徴とする電子会議卓用通信シート。
【００３７】
（２２）前記（２１）記載の二つの反射シート手段の間に、透明または特定波長透過特性を具備した材料による導光シート手段を積層した構造が複数積層された前記（２１）の会議用光伝導シート又は前記（２１）記載の会議テーブル上に備えられた会議用光伝導シートであって、該会議用光伝導シートの下層反射面上の光導光シートに対して設けられた、前記円錐状のミラー及び同位置の上層側反射シートの光学的開口部の代りに、或いは混在して、前記光学シートの周辺部縁に前記反射テープを一部排除してなる、光電変換部及び光ファイバー用の光学的開口及び結合手段を備えたことを特徴とする電子会議卓用通信シート。
【００３８】
【発明の実施の形態】
以下、本発明の実施例を説明する。
【００３９】
【実施例１】
図１は本発明の特徴を最も良く表わすもので、図１ａは会議システム全体であり、図２はその各電気的構成を示す回路ブロック図である。
【００４０】
図１ｂは図１ａの会議システムにおける会議テーブルの天板１の上に設けられる電子会議用光伝導シート２のＡ−Ａ’間の断面構造を示す図である。
【００４１】
図１ａにおいて、１は会議テーブルの天板、２は会議用光伝導シート、３ａ〜３ｄは会議用ノートブック型パーソナルコンピュータ、（以下ノートＰＣと記す。パーソナルコンピュータはＰＣと記す）、３ｅは共通ＰＣ、４ａ〜４ｅは前記会議用ノートＰＣ３ａ〜３ｄ及び共通ＰＣ３ｅに接続された通信ケーブル、５ａ〜５ｅは光電変換ユニットで、それぞれ通信ケーブル４ａ〜４ｅに電気的に接続されており本実施例では双方向の光電変換機能を持つ。
【００４２】
６は２の会議用光伝導シートに複数設けられる光学的開口部であり、前記光電変換ユニット５ａ〜５ｅにはそれぞれ６ａ〜６ｅを対応させて記号をつけた。図１ａにおいて、その他の開口部に関しては、６ａ〜６ｅと同一のイラスト表示のみとし、記号の付与は省略する。
【００４３】
７は２の会議用光伝導シート周辺に設けられた反射テープ、８は３ｅの共通ＰＣより他ＬＡＮ回線への接続ケーブル、９は３ｅの共通ＰＣのグラフック画像を表示する共通ディスプレイ、１０は３ｅの共通ＰＣのグラフック画像を共通ディスプレイ９に供給するビデオケーブルである。
【００４４】
次に、会議用光伝導シート２及び光電変換ユニット５について、図１ｂにその詳しい断面構造を示す。この断面は例えば図１ａのＡ−Ａ’部に関して表示する。尚図１ｂにおいて、１の会議テーブルの天板の縁（反射テープ７）部分までの距離は、便宜上イメージ的に短く詰めて表示してある。
【００４５】
図１ｂにおいて、１は会議テーブルの天板、２０１は導光シートである。
【００４６】
２０２ａ及び２０２ｂは反射膜シートでいずれも、少なくとも２０１の導光シート側に対して反射特性を持つように構成される。
【００４７】
２０３は表面保護カバー、２０５は任意の位置に複数設けられた光学的開口部の下層部の導光層に設けられた円錐形反射部で、少なくとも底辺（反射膜シート２０２ａに接する面）以外は光学的に反射特性を備える。
【００４８】
６は２０２ｂの反射膜シートに設けられた光学的開口部である。
【００４９】
以上、会議用光伝導シート２は少なくとも導光シート２０１、反射膜シート２０２ａと２０２ｂにより積層構造を成し、反射膜シート２０２ａには、前記複数の光学的開口部６を持つ。
【００５０】
該光学的開口部６の位置に対応する２０１の導光シート部分には、前記円錐形反射部２０５を備え、前記の光学的開口部６及び円錐形反射部２０５は、前述のように図１ａに表示の如く、会議用光伝導シート２上に、適宜複数設けられる。
【００５１】
また、少なくとも前記２０１の導光シートの周囲を囲むように反射テープ７が貼り付けられた構造を持つ。
【００５２】
反射テープ７において、光学的及び構造的安全を考慮すれば、図１ｂに図示の如く会議用光伝導シート２の厚さ全体におよぶ様になるべく幅広に構成されるのが望ましい。
【００５３】
次に、図１ａにおいて会議テーブルの天板１上に設けられた前記会議用光伝導シート２の上に、複数のノートＰＣ（本実施例においては３ａ〜３ｄの４台）を、図１ａの如く各会議出席者に対応した位置に設置し、前記３ａ〜３ｄの４台のノートＰＣはそれぞれ、４ａ〜４ｄの比較的短い通信ケーブルにより、それぞれ５ａ〜５ｂの光電変換ユニットに接続される。
【００５４】
この光電変換ユニット５ａ〜５ｄは、図１ｂに示すように、会議用光伝導シート２の開口部６の真上に配置される。
【００５５】
また、共通ＰＣ３ｅを、図１ａに示す位置に設置し、４ｅのインタフェースケーブルにより５ｅの光電変換ユニットに接続され、該光電変換ユニット５ｅは前記共通ＰＣ３ｅの位置のごく近くの前記開口部６ｅの真上に設置される。
【００５６】
ここで、この光電変換ユニット５ａ〜５ｅは、本実施例にあっては双方向であり、発光素子及び受光素子を備えている。
【００５７】
前記、光電変換ユニット５ａ〜５ｅが受光した光信号は電気信号として、それぞれ通信ケーブル４ａ〜４ｅに出力される。
【００５８】
又、この光電変換ユニット５ａ〜５ｅは、それぞれ４ａ〜４ｅの通信ケーブルを介して、該光電変換ユニット５ａ〜５ｅに入力される電気信号を光に変換して光信号として発光出力するものである。
【００５９】
したがって前記会議用光シート２の開口部６は、図１ａに示されるように任意の複数位置に予め設けられるものである。
【００６０】
該、光開口部６の構造は、図１ｂの会議用光伝導シート２の断面図Ａ−Ａ’に示したように、２０２ｂの反射膜シートが任意の大きさと形状で除去された光学的開口を成す。
【００６１】
この光開口部６は会議用光シート２を、会議テーブルの天板１の上に据え付ける工事に併せ、必要とする数を任意の位置に設けるか、予め該会議用光シートを製造する過程で設けても、問題ないことは勿論である。
【００６２】
また前記光開口部を設けた部分は空洞でも、本発明が目的とする機能としては問題ないが、光硬化樹脂や熱効果樹脂、エポキシ樹脂等光透過部材にて塞げば、ゴミちり等の混入が回避可能となり、取り扱い易くなる。
【００６３】
また該開口部６の直下の２０１の導光シート部には、前記円錐形状反射部２０５が設けられ、前記光電変換ユニット５からの光信号は、開口部６を通って２０５の反射部によりほぼ直角に光路を折り曲げ、導光シート２０１の水平（面）方向に向かって放射状に拡散される。図１ｄにその反射部を構成する円錐形反射ミラーと該円錐形反射ミラーからの光の流れの様子を示す。
【００６４】
前記２０５の円錐形状反射部により約直角に光路を折り曲げ、導光シート２０１の水平（面）方向に向かって放射状に拡散された光信号は、２０１の導光シートの中を上下に設けられた反射膜シート２０２ａ及び２０２ｂの間を交互に反射を繰り返し導光シート２０１の隅々まで光信号が伝達される。導光シート２０１の縁は前記７の反射テープが貼られており、再び２０１導光シート内部に反射して戻される。該反射された光信号は様々なロスにより結果的に速やかに減衰する為、前記光電変換ユニット５で取り扱う光信号の動作速度への悪影響はほとんど問題ない。
【００６５】
又、前記導光シート２０１の水平（面）方向に向かって放射状に拡散された光信号は、複数設けられた光開口部６の位置に設けられた２０５の円錐形反射部により前記開口部６の方向に進行を変えて、該開口部６の真上に設置された光電変換ユニットに入射される。
【００６６】
従って、例えばノートＰＣ３ａの情報（コンテンツ）を４ａの通信ケーブル及び５ａの光電変換ユニットを介して光信号として、前記光伝導シート２の光開口部６ａを介して、前記２０１の導光シート内に入射させる。
【００６７】
該６ａの光開口部に入射した光信号は前記説明の如く、他の光開口部６ｂ〜６ｅまで導光される。
【００６８】
次に、他の光開口部例えば光開口部６ｂにおいては、前記ノートＰＣ３ａの送信データに基づいた前記導光シート２０１の水平（面）方向に向かって放射状に拡散された光信号が、反射部２０５により約直角に光路を変えて反射膜２０２ｂの開口部６ｂに導光され、光電変換ユニット５ｂに到達する。
【００６９】
該光電変換ユニット５ｂに入射された光信号は、５ｂの光電変換ユニットにて電気信号に変換され、適宜増幅及び信号処理され４ｂの通信ケーブルを介して、図１ａに示した如く３ｅの共通ＰＣに伝送される。
【００７０】
以上の動作により、ノートＰＣ３ｂにて、前記ノートＰＣ３ａより送信された情報（コンテンツ）を、３ｅの共通ＰＣに伝送できるものである。
【００７１】
従って、前記共通ＰＣ３ｅにおいて、前記ノートＰＣ３ａからの情報をアプリケーションソフトウエアにて開き（処理）、該３ｅの共通ＰＣの表示用画像信号を１０のビデオケーブルにて、共通ディスプレイ９に供給して画像表示し、プレゼンテーション等を可能とする。
【００７２】
同様に他の開口部、例えば開口部６ｂから６ｄにおいても、前記導光シート２０１の水平（面）方向に向かって放射状に拡散された光信号を、各々の反射部２０５ｂ〜２０５ｄによりほぼ約直角に光路を変えてそれぞれの反射膜２０２ｂの開口部６ｂ〜６ｄを経て、各々対応した光電変換ユニット５ｂ〜５ｄに導かれ、５ｂ〜５ｄの光電変換ユニットにて電気信号に変換され、適宜増幅及び信号処理され各々４ｂ〜４ｄの通信ケーブルに供給され、図１ａに図示した様に、それぞれノートＰＣ３ｂ〜３ｄに供給される。
【００７３】
従ってノートＰＣ３ｂ、３ｃ、３ｄにおいても、前記ノートＰＣ３ａからの転送データをアプリケーションソフトウエアによって開き画面に表示することが可能になる。
【００７４】
同様にノートＰＣ３ａ以外のＰＣ、例えば共通ＰＣ３ｅにおいて、前記プレゼンテーションされた情報（コンテンツ）、や共通ＰＣにて作成した議事録などのデータ（コンテンツ）を、該共通ＰＣ３ｅに接続された接続ケーブル４ｅ及び光電変換ユニット５ｅ、さらに会議用光伝導シート２を介して、他のノートＰＣ３ａ〜３ｄに伝送出来るものである。
【００７５】
以下同様に相互のＰＣ間のデータ（コンテンツ）を、配信受信できるものである。
【００７６】
【実施例２】
前記実施例１において、光電変換ユニット５及び会議用光シート内で取り扱う光信号を例えば赤外線に限定して伝送し場合、図１に示した会議用光伝導シート２の表面カバー２０３は、様々な外光の混入及び外部への漏洩等を考慮して、例えば赤外線等特定波長の光を選択的に透過する波長選択特性を持つ材料が好ましい。
【００７７】
一般に空間光通信は前述のように赤外光が多く用いられ、この場合、該赤外線の波長領域を選択的に透過させ、紫外線及び可視光を遮断することにより、これらの外来光からの通信への妨害を軽減できるものである。
【００７８】
また表面カバー２０３の層のさらに上層、若しくは下層に別途前記のような赤外線等特定波長の光を選択的に透過する波長選択特性を持つ層を構成しても良いことは勿論である。
【００７９】
又、開口部６の部分のみの何れかの層に、前記赤外線等特定波長の光を選択的に透過する波長選択特性を持つ材料による構造をとっても同様の効果が得られることは勿論である。
【００８０】
【実施例３】
前記第１及び第２の実施例において、光伝導シート２は、図示しないが美観、触感、強度等を考慮して表面カバー２０３の材質を選択し、さらに木目等の装飾印刷を施す。この場合表面カバー２０３は、前記実施例１及び実施例２に示される光開口部６に対応した位置は、光学的開口を保ち、任意に特定の光透過特性を持たせる。
【００８１】
【実施例４】
次に、前記実施例１から実施例３において、図示しないが、図１の構成に示された、会議用導光シート２の縁に貼り付けた反射テープ７のさらに外周に、外観上、安全上、強度上等を配慮して、保護用のおよび例えば木目をプリントした装飾用のあるいは保護および装飾を兼ね備えたテープ等の縁どりを施す事により、反射テープ７および会議テーブル天板１の外周、光伝導シート外周を保護し美観を向上させる事ができる。
【００８２】
【実施例５】
次に、前記実施例１における、図１ａに示される会議用光伝導シート２の断面構造図１ｂの２０５の円錐形の反射手段は、会議用光伝導シート２上の一つの光学的開口部６に対して、図３ａに示すように、複数の小さな円錐形でも同様の効果が得られる。
【００８３】
【実施例６】
また、同様に図１ａに示される会議用光伝導シート２の断面構造図、図１ｂに示される、２０５の反射手段は第一の実施例においては、一つの光学的開口部６に対して単一の円錐形を備えているが、図３ｂに示すように、単一の半円球または単なる突起でもある程度の同様の効果が得られる。
【００８４】
【実施例７】
また、さらに図１ａに示される会議用光伝導シート２の断面構造図の図１ｂに示される、２０５の反射手段は第一の実施例に措いては、一つの光学的開口部６に対して単一の円錐形を備えているが、図３ｃに示すように、複数の微小な、例えば半円球状の突起の配列でもある程度の同様の効果が得られる。
【００８５】
【実施例８】
また、前記実施例１において、図１ａに示される会議用光伝導シート２の光学的開口は会議テーブルの天板の水平配置に対して、垂直方向に開口する構造を採っているが、断面構造図の図１ｃに示されるように会議用光伝導シート２の水平方向の任意の縁部に開口を設け、該開口部に前記光電変換ユニット５を設置しても、同様の通信伝送が可能となる。
【００８６】
【実施例９】
次に、図４ａは実施例９の特徴を示す会議用光伝導シート２の断面構造を示す図であり、１３は光反射板、１０１は前記１３の光反射版を開閉可能とするヒンジ部の軸を示す。１０２は該ヒンジ部で、表面保護カバー２０３に結合する結合部である。図４ａは該１３の光反射板を閉じた場合の図である。次に前記実施例１において、各ＰＣ３ａ〜３ｅの通信用端子から通信用ケーブル４ａ〜４ｅ及び光電変換ユニット５ａ〜５ｅを介して前記光開口部６ａ〜６ｅに光信号を出力あるいは、前記光開口部６ａ〜６ｅより受光した光信号を光電変換ユニット５ａ〜５ｅにて電気信号に変換して、通信用ケーブル４ａ〜４ｅを介して３ａ〜３ｅに伝送していたが、前記ＰＣ３ａ〜３ｅの何れか、または全てのＰＣ３の内部に光通信用の光電変換ユニット５を備え、該光電変換ユニット５との通信光を、前記図４ａに示したように、直接あるいは前記１３の光反射板にて光路を制御して、前記会議用光伝導シート２の光開口部６に光学的に導き通信を行うとその構成は、接続ケーブル等が不要となりシンプルになる。
【００８７】
また、本実施例においては該当するＰＣ等の情報機器が搭載されない場合、前記光開口部６は、図４ｂに示すように対応する光学的開口６を反射板１３にて塞ぐ事が出来る為、１３の反射板による突起を無くせると同時に光学的開口部６からの光漏れや反射ロスが改善される。
【００８８】
【実施例１０】
前記実施例９において、図１ａの会議用光伝導シート２の光開口部６と前記光電変換ユニット５を内蔵したノートＰＣ３の該光電変換ユニット部との間を光ファイバーにて中継する構造でも実施例１〜９のごとく電子会議が可能となる。
【００８９】
この場合の光伝導シート２と光開口部６とノートＰＣ３に内蔵した光電変換ユニット５と前記光ファイバー１４の関係を図５に示す。
【００９０】
図５でノートＰＣ３に内蔵された光電変換ユニットからの光信号を、１４の光ファイバーを介して、会議用光伝導シート２の光開口部６に導く事が出来る。
【００９１】
また、反対に会議用光伝導シート２の光開口部６より、前記光ファイバー１４を介して、ノートＰＣ３に内蔵した光電変換ユニット５に光信号を導くことが出来るものである。
【００９２】
【実施例１１】
前記会議用光伝導シート２は、大きな会議テーブル上に複数枚並べて使用する場合や、会議テーブル全体が、複数の会議テーブルを寄せ集めて構成する場合、また、それぞれの会議テーブルに複数の該会議用光伝導シート２がそれぞれに分散されて設置された場合等において、複数の前記会議用光伝導シート２は、直接断面を繋ぎあわせて、又は光ファイバーによる中継にて、又は、両端にそれぞれ光電変換ユニットを備え該光電変換ユニット間を電気的中継手段により中継しても、複数の該会議用光伝導シート間の情報の中継が可能となる。
【００９３】
【実施例１２】
実施例９及び１０において、ノートパソコン３ａ〜３ｄの代りに会議用端末処理装置はパーソナル情報機器（Ｐｅｒｓｏｎａｌ  Ｄｉｇｉｔａｌ  Ａｓｓｉｓｔａｎｃｅ：以下ＰＤＡ）であっても同様の効果が得られることは勿論である。
【００９４】
この場合たとえばＰａｌｍ社の携帯情報端末（ＰＤＡ）のパーム等が挙げられる。パームはアメリカを中心に大ヒットし、主にビジネスの現場で愛用されている。住所録やメモ、スケジュール管理などの機能がある。本体が小さく、安価で、連続駆動時間が長く、パソコンなどとの連携が容易などの長所がある。標準の入力機器はペンだが、キーボードを接続して使用することもできる。「クレイドル」（「ゆりかご」の意）と呼ばれるドッキングステーションが付属しており、これに本体を差し込んでボタンを押すだけで、パソコン上のアプリケーションソフトとデータのやり取りをすることができる。外部からソフトウェアを追加して機能を拡張することもできる。最近は赤外線通信機能が搭載され、Ｐａｌｍ同士でデータをやり取りすることができるようになった。
【００９５】
このような赤外線通信機能搭載情報機器を前記実施例９及び１０のＰＣ３の代替えとして同様の効果が可能と成るものである。
【００９６】
【実施例１３】
以上、複数ノートＰＣ及びＰＤＡによる会議データ伝送の例を述べたが、会議用端末処理装置は専用の端末でも同様の効果が得られることは勿論である。
【００９７】
この場合、たとえばキーボードの出力を赤外光にて出力する赤外線対応キーボード、赤外光を送受光して情報処理する赤外線対応情報処理機器、赤外光を受光して画像表示する赤外線対応画像表示機器及びそれらの複合機器により、キーボードから情報処理装置にキー入力でき、情報処理機器にて、該キーボードによる文字入力や機器の制御を行い、画像情報を前記赤外線入力対応画像表示機器にて画像表示が可能となるものである。又本発明の会議用光伝導シート２は会議用に留まらず、例えテレビ受像機等の赤外線リモコン等の通信を行わせる事も勿論可能である。
【００９８】
【実施例１４】
前記実施例１から１４において、前記会議用光シート２は複数枚重ねた構成で同様以上の効果が得られる。図６はその実施例の会議用光シートの断面構造を示す図であり、図６において、会議テーブルの天板１の上に二枚の２の会議用光伝導シートを備え、下層の光伝導シートを２１、上層の光伝導シートを２２として具備し、上層の光伝導シート２２は複数の光学的開口部６２及び該複数の光学的開口部６２に対応した前記実施例１と同様の反射部２０５を持ち、上層の光伝導シート２２による光信号通信を可能とし、下層の光伝導シート２１においても、同様の光学的開口部６１を持ちさらに該下層の光伝導シート２１の光学的開口部６１は、上層の光伝導シート２２においても光開口構造を持たせ、該光学的開口部６１及び６２の真上にそれぞれ、５の光電変換ユニットを配置して、それぞれの層の光伝導シートにおいて、独立経路の光通信を可能とするもので、本実施例においては、二つ光伝導シート層２１及び２２が光通信として使用できるため、同時に最多２台の端末情報機器より光信号の送信が可能となる。同様に会議用光伝導シートをｎ枚重ね合わせることにより、ｎ台の端末情報機器より同時にｎ種類の光信号の送信が可能となり情報伝送量及び処理速度の向上が図られるものである。
【００９９】
【実施例１５】
また、前記実施例１から１４における、会議用光伝導シートは、あらかじめ反射シートと導光シートのラミネートを、さらには、前記反射シートに予め開口部と、前記導光シートには反射部５とを、量産装置にて設け、さらには前記光開口部を透明又は波長選択性部剤にて塞ぐように量産して、各インターフェースに対応する開口部の加工、会議テーブルの外形にあわせての裁断、周辺への反射テープの貼り付けを後から工事として行うことにより、前記導光シートのラミネートを安価に生産出来、本発明による複数端末会議テーブルシステムが低コストに実現出来るものである。
【０１００】
【発明の効果】
以上の様に、前記会議用テーブルの天板上に設けた会議用光伝導シートの光開口部に複数の会議用ＰＣを、光電変換ユニットを介して接続する事により、前記各ＰＣ間を、会議用光伝導シートを介して光伝送通信が可能となり、会議用光伝導シート上に会議資料や様々な機器等が置かれても、上記会議用光伝導シート内の光伝送を妨げる事はない。
【０１０１】
また本会議用光伝導シートによるデータ通信（データの伝送）は、基本的に会議用光伝導シート内を通信エリアとする為に、無線によるデータ通信に比べて、情報漏洩や混信等に対して有利であり円滑なデータ通信（データ伝送）が可能となる。
【０１０２】
また、本会議用光伝導シートは、あらかじめ反射シートと導光シートのラミネートは量産性に好適であり、量産装置にて量産を行い安価に実現出来低コストを実現出来る。
【０１０３】
また、会議テーブルの天板上に設置する時点にて、会議テーブルの外形にあわせての裁断、周辺への反射テープの貼り付けを後から工事として行うことにより、短い工程で様々な形状、大きさの会議テーブルに設置可能となり、本発明による電子会議テーブルの生産又は設置工事のコストを易く提供可能とするものである。
【図面の簡単な説明】
【図１ａ】本発明による会議システムの実施例を説明する斜視図
【図１ｂ】本発明による会議システムの会議用光伝導シートの断面図
【図１ｃ】本発明による会議システムの断面構造図
【図１ｄ】反射部２０５の動作説明図
【図２】本発明による会議システムの回路ブロック図
【図３ａ】本発明による会議用光伝導シートの反射部構造の例を示す図
【図３ｂ】本発明による会議用光伝導シートの反射部構造の例を示す図
【図３ｃ】本発明による会議用光伝導シートの反射部構造の例を示す図
【図４】（ａ），（ｂ）  本発明による開閉型反射板を持つ会議用光伝導シートの断面構造図
【図５】（ａ），（ｂ）  本発明による会議用光伝導シートの光ファイバーによる結合図
【図６】会議用光伝導シート多層構造断面図
【図７】会議システムの従来例を説明する斜視図
【符号の説明】
１  会議テーブルの天板
２  会議用光伝導シート
３ａ〜３ｄ  会議用ノートＰＣ
３ｅ  共通ＰＣ
４ａ〜４ｅ  通信ケーブル（接続ケーブル）
５ａ〜５ｅ  光電変換ユニット
６（６ａ〜６ｅ）  会議用光伝導シート２に複数設けられる光学的開口部
７  反射テープ
８  共通ＰＣ３ｅより他ＬＡＮ回線への接続ケーブル
９  共通ディスプレイ
１０  ビデオケーブル
１１  ネットワーク通信ハブ
１３  反射板
１４  光ファイバー
２１  下層の光伝導シート
２２  上層の光伝導シート
６１，６２  光学的開口部
２０１  導光シート
２０２ａ、２０２ｂ  反射膜シート
２０３  表面保護カバー
２０５  任意の位置に複数設けられた光学的開口部の下層部の導光層に設けられた円錐形反射部
【図１ａ】
2004274440.tif 000003
【図１ｂ】
2004274440.tif 000004
【図１ｃ】
2004274440.tif 000005
【図１ｄ】
2004274440.tif 000006
【図２】
2004274440.tif 000007
【図３ａ】
2004274440.tif 000008
【図３ｂ】
2004274440.tif 000009
【図３ｃ】
2004274440.tif 000010
【図４】
2004274440.tif 000011
【図５】
2004274440.tif 000012
【図６】
2004274440.tif 000013
【図７】
2004274440.tif 000014